(57)【特許請求の範囲】
【請求項１】
底板、天板、背板及び互いに対面する一対の側板を有し、前面に開口部を有する筐体よりなり、前記底板、前記天板及び前記背板は、略中央で分割され、底板左部及び底板右部が底板接合用蝶番にて、天板左部及び天板右部が天板接合用蝶番にて、背板左部及び背板右部が背板接合用蝶番にてそれぞれ接合されるとともに、前記一対の側板にも前記底板、前記天板及び前記背板が、左部底板折畳蝶番及び右部底板折畳蝶番、左部天板折畳蝶番及び右部天板折畳蝶番並びに左部背板折畳蝶番及び右部背板折畳蝶番にて接合され、前記底板及び前記天板は、前記底板接合用蝶番、前記左部底板折畳蝶番及び前記右部底板折畳蝶番並びに前記天板接合用蝶番、前記左部天板折畳蝶番及び前記右部天板折畳蝶番によって当該筐体の内側に折り畳まれ、前記背板は、前記背板接合用蝶番、前記左部背板折畳蝶番及び前記右部背板折畳蝶番によって当該筐体の外側に折り折り畳まれる遊技機用筐体であって、
前記底板の前記底板接合用蝶番の上部と前記背板の前記背板接合用蝶番の内側下部に、それぞれラッチとラッチ固定部材が当該筐体の展開時に自動的に嵌合固定されるように設けられ、その嵌合固定により当該筐体が展開状態で維持されており、
前記天板左部と前記天板右部が、当該筐体の展開時に自動ロックピンとロックピン固定部材との嵌合固定によりフラットな状態で保持される自動ロック機構を備えており、
前記自動ロック機構が、
前記天板右部又は前記天板左部の一方の長手方向に沿って設けられ、前記天板左部又は前記天板右部の一部まで延伸した形状を有し、当該筐体の展開時に前記天板接合用蝶番部分に位置にくるようになる自動ロックピン固定用孔が形成された天板支持アングルと、
前記天板接合用蝶番の長手方向に沿って前進後退可能に固定保持された前記自動ロックピンと、
前記天板左部又は前記天板右部に設けられ、当該筐体の展開時に先端の爪部が前記自動ロックピンと係合し前記自動ロックピンを天板の幅方向に移動可能に固定保持する自動ロックピン固定治具と、
前記天板左部又は前記天板右部に、当該筐体の展開時に前記自動ロックピン固定治具と前記天板支持アングルの間でかつ前記天板支持アングルの近傍となるように設けられ、当該筐体の折畳時及び展開途中には前記自動ロックピンの先端と当接するとともに押し込みバネを圧縮した状態とし、当該筐体の展開時には前記押し込みバネの付勢力により前記自動ロックピンを挿通させる挿通孔が形成された自動ロックピン制御板を有し、
当該筐体の展開時には、前記押し込みバネの圧縮状態の解除により前記自動ロックピンが前記自動ロックピン制御板の前記挿通孔を挿通して前記天板支持アングルの前記自動ロックピン固定用孔と嵌合して固定されることにより、前記天板左部と前記天板右部がフラットな状態で保持されることを特徴とする遊技機用筐体。
【請求項２】
前記天板左部又は前記天板右部における当該筐体の開口側幅方向端部に、前記天板の長手方向に沿って先端が略天板分割位置にくるように設けられ、適所に爪溝が形成された第１の天板支持用ステー構成部材を有するとともに、前記天板右部又は前記天板左部における当該筐体の開口側幅方向端部に、前記天板の長手方向に沿って先端が前記天板左部又は前記天板左部の一部まで延伸した形状を有し、当該筐体の展開時に、前記爪溝と係合する爪が形成された第２の天板支持用ステー構成部材を有し、前記第１の天板支持用ステー構成部材と前記第２の天板支持用ステー構成部材は、略天板分割位置において前記天板接合用蝶番に対して回動自在に軸支され、天板支持用ステーを構成していることを特徴とする請求項１に記載の遊技機用筐体。
【請求項３】
前記底板左部又は前記底板右部における当該筐体の開口側幅方向端部に、前記底板の長手方向に沿って先端が略底板分割位置にくるように設けられ、適所に爪溝が形成された第１の底板支持用ステー構成部材を有するとともに、前記底板右部又は前記底板左部における当該筐体の開口側幅方向端部に、前記底板の長手方向に沿って先端が前記底板左部又は前記底板右部の一部まで延伸した形状を有し、当該筐体の展開時に、前記爪溝と係合する爪が形成された第２の底板支持用ステー構成部材を有し、前記第１の底板支持用ステー構成部材と前記第２の底板支持用ステー構成部材は、略底板分割位置において前記底板接合用蝶番に対して回動自在に軸支され、底板支持用ステーを構成していることを特徴とする請求項１又は２に記載の遊技機用筐体。
【請求項４】
当該筐体を構成する各板は、当該筐体の展開時及び折畳時において蝶番の一部が突出しないように切欠きを有する構造となっていることを特徴とする請求項１から３のいずれか一項に記載の遊技機用筐体。
【発明の詳細な説明】
【技術分野】
【０００１】
本発明は、遊技機用筐体に関し、更に詳しくは、折り畳み構造を有し、フラットな平板状態で収納でき、保管、運搬の際のスペースが最小化され、かつ、組立工数を削減することができる遊技機用筐体に関する。
【背景技術】
【０００２】
パチンコ型スロットマシン（以下、パチスロ機という）等の遊技機は、一般に、前面が開口した箱形の本体部と、その本体部の前面開口部の一側方に回動自在に取り付けられた前扉とから構成され、本体部の内部空間には、複数のリールを備えたリール装置やパチスロ機を電気的に制御するための制御装置、多数枚数のメダルを収容するホッパー等のメダル払出装置などの遊技機装置が格納されている。
【０００３】
一般的にパチスロ機用の筐体は、前面を開口とした箱形とされ、背板と、この背板の左右側端部に背板の面と直交する方向に向けてそれぞれ連結した左右側板と、左右側板と背板で形成された空間の上部開口を閉鎖した天板と、左右側板と背板で形成された空間の下部開口を閉鎖した底板とで構成されている。
【０００４】
このような筐体では、背板、左右側板、天板および底板はそれぞれ、木工用ボンド等の接着材等によって互いに固着されているものが多く、組み立ての際にそれぞれの板の連結部分を接着剤で固着させる必要がある。接着剤が固まるまで仮止めする必要もあり、組み立て作業に際して手間がかかるとともに、接着剤塗布用の装置やタッカーによる仮止めなどの煩雑な作業となっていた。
【０００５】
また、従来のパチスロ機用筐体の組み立てには、多くの作業工程が必要であり、また、専用の設備等も必要である。一般的には、筐体を専門の工場で組み立てて、完成させた後で保管・運搬されるケースが多い。このため、保管するために大きな占有スペースが必要となり、また、トラックや船舶等により運搬する際にも一度に多くの筐体を積載することが難しく非効率的であった。結果的に保管および運搬に係る費用がコストを引き上げてしまう大きな要因となっていた。
【０００６】
完成した状態の筐体は、変動表示装置及び制御手段が収容されていない状態でも、保管および運搬に係る占有スペースが小さくなることはない。このため、保管容積を削減できる筐体の開発が望まれている。特許文献１によれば、側板と天板及び底板とを蝶番によって接合し、筐体を筐体本体と背板と中板とに分解し、筐体本体を方形状の四角枠の状態から平行四辺形状の押し潰した状態にして保管できる筐体が提案されている。また、特許文献２によれば、筐体の左右側板、天板および底板を筐体内部に折り畳む構造により、筐体を分割することなく保管スペースを削減できる筐体が提案されている。
【０００７】
ところが、上記特許文献１、２のような筐体では、効率よく省スペース化ができる反面、筐体を組み立てる際に筐体が複数のユニットに分割していたり、一体型であっても折り畳んだ筐体を展開するために複雑な工程が必要であったりと、筐体の組み立て作業を繁雑なものにしていた。
【０００８】
さらに、折り畳んだ状態の筐体を生産ライン上で展開する際に、折り畳んだ状態の筐体を複数台カセット等の容器にまとめて収納しておき、前記カセットから生産ラインに自動供給する方法がより効率的である。上記特許文献のような筐体では、折りたたんだ状態の筐体をカセットに出し入れする際に引っ掛かりやすい形状であり、効率良く前記カセットに出し入れできる構造を有する折りたたみ式の筐体が望まれていた。
【０００９】
本出願人は、かかる従来技術の問題を解決するため、特許文献３において、前面が開口部となり、底板、天板、背板及び互いに対面する一対の側板を有し、前記底板、前記背板及び前記天板は、略中央で分割し蝶番にて接合するとともに、前記側板にも、前記底板、前記背板及び前記天板を蝶番にて接合し、前記底板及び前記天板は前記蝶番によって当該筐体の内側に折り畳まれ、前記背板が当該筐体の外側に折り畳まれることを特徴とする遊技機用筐体を提案した。
【００１０】
この遊技機用筐体によれば、筐体全体を略平面的に折り畳むことができ、その状態で保管することで、効率的に筐体の保管スペースを削減することができる。また、折り畳んだ状態の筐体を組み立てるときには、側板を折り畳んだ状態から略垂直になる方向に展開し、底板の側縁部と背板の側縁部と嵌合し、天板の側縁部と背板の側縁部を嵌合するだけで、底板、天板及び背板を展開状態にすることができるため、筐体を容易に組み立てることができるようになった。
【００１１】
しかしながら、上記特許文献３の遊技機用筐体では、その組立ての際に完成形に近い状態とした後、背板と、天板及び底板とを固定金具やネジ等により固定する作業が必要であり、組立作業工数をより削減し、多くの遊技機用筐体の組立時間を短縮するためには、さらに改善すべき余地があった。
【先行技術文献】
【特許文献】
【００１２】
【特許文献１】特開２００７−３１３２３７号公報
【特許文献２】登録実用新案第３１４５４１５号公報
【特許文献３】特開２０１４−１８６３４号公報
【発明の概要】
【発明が解決しようとする課題】
【００１３】
本発明は、折り畳み構造を有し、フラットな平板状態で収納でき、保管、運搬の際のスペースが最小化され、かつ、組立工数を削減することができる遊技機用筐体を提供することを課題とする。
【課題を解決するための手段】
【００１４】
上記課題を解決するため、本発明によれば、第１に、底板、天板、背板及び互いに対面する一対の側板を有し、前面に開口部を有する筐体よりなり、前記底板、前記天板及び前記背板は、略中央で分割され、底板左部及び底板右部が底板接合用蝶番にて、天板左部及び天板右部が天板接合用蝶番にて、背板左部及び背板右部が背板接合用蝶番にてそれぞれ接合されるとともに、前記一対の側板にも前記底板、前記天板及び前記背板が、左部底板折畳蝶番及び右部底板折畳蝶番、左部天板折畳蝶番及び右部天板折畳蝶番並びに左部背板折畳蝶番及び右部背板折畳蝶番にて接合され、前記底板及び前記天板は、前記底板接合用蝶番、前記左部底板折畳蝶番及び前記右部底板折畳蝶番並びに前記天板接合用蝶番、前記左部天板折畳蝶番及び前記右部天板折畳蝶番によって当該筐体の内側に折り畳まれ、前記背板は、前記背板接合用蝶番、前記左部背板折畳蝶番及び前記右部背板折畳蝶番によって当該筐体の外側に折り折り畳まれる遊技機用筐体であって、前記底板の前記底板接合用蝶番の上部と前記背板の前記背板接合用蝶番の内側下部に、それぞれラッチとラッチ固定部材が当該筐体の展開時に自動的に嵌合固定されるように設けられ、その嵌合固定により当該筐体が展開状態で維持されており、前記天板左部と前記天板右部が、当該筐体の展開時に自動ロックピンとロックピン固定部材との嵌合固定によりフラットな状態で保持される自動ロック機構を備えており、前記自動ロック機構が、前記天板右部又は前記天板左部の一方の長手方向に沿って設けられ、前記天板左部又は前記天板右部の一部まで延伸した形状を有し、当該筐体の展開時に前記天板接合用蝶番部分に位置にくるようになる自動ロックピン固定用孔が形成された天板支持アングルと、前記天板接合用蝶番の長手方向に沿って前進後退可能に固定保持された前記自動ロックピンと、前記天板左部又は前記天板右部に設けられ、当該筐体の展開時に先端の爪部が前記自動ロックピンと係合し前記自動ロックピンを天板の幅方向に移動可能に固定保持する自動ロックピン固定治具と、前記天板左部又は前記天板右部に、当該筐体の展開時に前記自動ロックピン固定治具と前記天板支持アングルの間でかつ前記天板支持アングルの近傍となるように設けられ、当該筐体の折畳時及び展開途中には前記自動ロックピンの先端と当接するとともに押し込みバネを圧縮した状態とし、当該筐体の展開時には前記押し込みバネの付勢力により前記自動ロックピンを挿通させる挿通孔が形成された自動ロックピン制御板を有し、当該筐体の展開時には、前記押し込みバネの圧縮状態の解除により前記自動ロックピンが前記自動ロックピン制御板の前記挿通孔を挿通して前記天板支持アングルの前記自動ロックピン固定用孔と嵌合して固定されることにより、前記天板左部と前記天板右部がフラットな状態で保持されることを特徴とする遊技機用筐体が提供される。
【００１７】
第２に、上記第１の発明において、前記天板左部又は前記天板右部における当該筐体の開口側幅方向端部に、前記天板の長手方向に沿って先端が略天板分割位置にくるように設けられ、適所に爪溝が形成された第１の天板支持用ステー構成部材を有するとともに、前記天板右部又は前記天板左部における当該筐体の開口側幅方向端部に、前記天板の長手方向に沿って先端が前記天板左部又は前記天板左部の一部まで延伸した形状を有し、当該筐体の展開時に、前記爪溝と係合する爪が形成された第２の天板支持用ステー構成部材を有し、前記第１の天板支持用ステー構成部材と前記第２の天板支持用ステー構成部材は、略天板分割位置において前記天板接合用蝶番に対して回動自在に軸支され、天板支持用ステーを構成していることを特徴とする遊技機用筐体が提供される。
【００１８】
第３に、上記第１又は第２の発明において、当該筐体を構成する各板は、当該筐体の展開時及び折畳時において蝶番の一部が突出しないように切欠きを有する構造となっていることを特徴とする遊技機用筐体が提供される。
【００１９】
第６に、上記第１から第５のいずれかの発明において、当該筐体を構成する各板は、当該筐体の展開時及び折畳時において蝶番の一部が突出しないように切欠きを有する構造となっていることを特徴とする遊技機用筐体が提供される。
【発明の効果】
【００２０】
本発明によれば、折り畳み構造を有し、フラットな平板状態で収納でき、保管、運搬の際のスペースが最小化され、かつ、展開状態に組立工数を削減することができる遊技機用筐体を提供することが可能となる。
また、組立ての際に、背板と、天板及び底板とを固定金具やネジ等により固定する作業が不要となり、展開状態とした際に筐体が自動的にロックされ、その形態を維持することができる。そのため、多数の遊技機用筐体の組立時間を大幅に短縮することが可能となる。
【図面の簡単な説明】
【００２１】
【図１】本発明の実施形態に係るパチスロ機用筐体の収納時に折り畳んだ形態を示す斜視図である。
【図２】本発明の実施形態に係る関わるパチスロ機用筐体の展開途中の形態を示す斜視図である。
【図３】本発明の実施形態に係るパチスロ機用筐体の展開後の形態を示す斜視図である。
【図４】カセットに収納された筐体を自動的に生産ラインに供給して本発明の実施形態に係るパチスロ機用筐体を展開する様子を示す概要図である。
【図５】筐体上部の折り畳み構造を示す拡大斜視図である。
【図６】天板及び背板を展開させたときに天板をフラットな形態で保持させる構造を示す斜視図である。
【図７】展開後の天板の形態を示す正面図である。
【図８】展開後の天板の内側の形態を示す斜視図である。
【図９】底板及び背板を展開させたときに底板をフラットな形態で保持させる構造を示す斜視図である。
【図１０】展開時に底板接合用蝶番の上面の背板寄りの位置に配したラッチと、背板接合用蝶番の内側下部に配したラッチ固定バーが嵌合する過程を示す斜視図であり、左図は展開途中の形態、右図は展開後の形態を示す。
【図１１】底板と側板の嵌合構造を示す斜視図であり、一例として底板左部と側板左部の嵌合過程を示している。左図は展開途中の形態、右図は展開後の形態を示す。
【図１２】天板と側板の嵌合構造を示す斜視図であり、一例として天板左部と側板左部の嵌合過程を示している。左図は展開途中の形態、右図は展開後の形態を示す。
【図１３】背板と側板の嵌合構造を示す斜視図であり、一例として背板左部と側板左部の嵌合過程を示している。左図は展開途中の形態、右図は展開後の形態を示す。
【発明を実施するための形態】
【００２２】
以下、本発明のパチスロ機用筐体の実施形態について図面を参照して説明する。なお、本願の図面において、同一の参照符号は、同一部分又は相当部分を表わすものとする。
【００２３】
図１は、本発明の実施形態に係るパチスロ機用筐体１００の収納時に折り畳んだ形態を示す斜視図、図２は、展開途中の形態を示す斜視図、図３は、展開後の形態を示す斜視図である。
【００２４】
本実施形態のパチスロ機用筐体（以下、筐体とも称する）１００は、背板（背板左部５１、背板右部５２）、一対の側板（側板左部２１、側板右部２２）、天板（天板左部３１、天板右部３２）及び底板（底板左部４１、側板右部４２）の各板材で構成されている。
【００２５】
側板左部２１及び側板右部２２は、同形状で、それぞれ、上方へ行くにつれて幅寸法を徐々に小さくすることで側面形状が細長い略台形状になるようにしている。
【００２６】
背板は左部背板５１と右部背板５２に２分割され、天板は天板左部３１と天板右部３２に２分割され、底板は底板左部４１と底板右部４２に２分割され、２分割されたそれぞれの板材は略同形状となっている。
【００２７】
左部背板５１と右部背板５２は背板接合用蝶番（ヒンジ）５３で折畳時の位置と展開時の位置との間を回動可能に接合され、天板左部３１と天板右部３２は天板接合用蝶番３３で折畳時の位置と展開時の位置との間を回動可能に接合され、底板左部４１と底板右部４２は底板接合用蝶番４３で折畳時の位置と展開時の位置との間を回動可能に接合されている。また、天板左部３１と天板右部３２の開口側端部には天板支持用ステー３５が設けられ、底板左部４１と底板右部４２の開口側端部にも底板支持用ステー４５が設けられ、それぞれ展開時における天板及び底板の支持を強固なものとしている。背板、天板、底板を構成する各２枚の板材には、図１及び図３に示すように切欠きが形成され、それぞれ展開時及び折畳時に板の表面から蝶番の一部が突出しないようになっている。これは、筐体１００を折り畳んだ状態での省スペース化を図っているだけでなく、保管時又は運搬時に蝶番の突出部によって傷などの破損を防止する効果も有する。図１〜図３において符号４２１は底板用ステー収納用切り欠きであり、図２において５１１、５１２は背板左部保持板、５２１、５２２は背板右部保持板、５３１は磁性板であり、図３において２１４、２２４は筐体１００の組立て時に作業者が手を差し込んで筐体１００を展開させるための把持用開口である。
【００２８】
筐体１００が展開された後には、図３に示すように、左部背板５１と右部背板５２、天板左部３１と天板右部３２、底板左部４１と底板右部４２はそれぞれフラットな状態となる。また、筐体１００が折り畳まれた時には、図１に示すように、全体が一定の厚みをもった細長い厚板形状となり、複数の筐体１００を重ねて、収納、運搬等ができるようになっている。
【００２９】
図３に示すように、側板左部２１には、背板左部５１が左部側板折畳蝶番２１１を介して、天板左部３１が左部天板折畳蝶番２１２を介して、底板左部４１が左部底板折畳蝶番２１３を介して、それぞれ折畳時の位置と展開時の位置との間を回動可能に接合されている。筐体１００の展開時には、側板左部２１と、背板左部５１、天板左部３１及び底板左部４１が直交した状態となる。また、側板右部２２には、背板右部５２が右部側板折畳蝶番２２１を介して、天板右部３２が右部天板折畳蝶番２２２を介して、底板右部４２が右部底板折畳蝶番２２３を介して、それぞれ折畳時の位置と展開時の位置との間を回動可能に接合されている。筐体１００の展開時には、側板右部２２と、背板右部５２、天板右部３２及び底板右部４２が直交した状態となる。そして、展開時には、筐体１００は前面を開口とした箱型の形状となっている。
【００３０】
図２、図３に示すように底板の底板接合用蝶番４３の背板側上面にはラッチ４４が取り付けられ、背板の背板接合用蝶番５３の筐体内側下部にはラッチ固定バー５４が取り付けられ、筐体展開時には、両者が自動的に嵌合し、筐体の展開状態を維持できるようになっている。
【００３１】
次に、筐体１００を組み立てる手順について説明する。パチスロ機は、生産ラインで生産される場合がほとんどであり、あらかじめカセット等の収納容器に折り畳んだ状態である程度の台数の筐体をまとめて収納し、筐体を平置きの状態でベルトコンベア等の移動装置を用いて生産ラインに自動供給するのが好ましい。
【００３２】
図４は、筐体収納カセット６１に収納された筐体を自動的に生産ラインに供給して本発明の実施形態に係るパチスロ機用筐体を展開する場合の様子を示す概要図である。７１は、ベルトコンベアである。カセット６１には複数の筐体が畳み込まれた状態で積み重ねられている。本発明では、折り畳んだ状態の筐体１００は、該面に自動供給を困難にするような突起等はなく、ほぼ１枚の板のように扱うことができる。このため、カセット６１への出し入れ作業の自動化も簡素化できる。
【００３３】
図中Ｍ１はカセット６１から筐体が生産ラインに供給される方向を示し、Ｍ２は生産ラインの流れる方向を示し、１０１がカセット６１から取り出した直後のパチスロ機用筐体、１０２が展開途中のパチスロ機用筐体、１０３が展開をさらに進めたパチスロ機用筐体、１０４が展開時のパチスロ機用筐体を示している。このように本実施形態のパチスロ機用筐体はラッチ４４とラッチ固定バー５４の嵌合によりワンタッチで自動的にロックされ、展開状態を維持することができる。
【００３４】
次に、筐体上部の折り畳み構造を図５〜図８を参照してさらに詳細に説明する。図５は、筐体上部の折り畳み構造を示す拡大斜視図、図６は、天板及び背板を展開させたときに天板をフラットな形態で保持させる構造を示す斜視図、図７は、展開後の天板の形態を示す正面図、図８は、展開後の天板の内側の形態を示す斜視図である。
【００３５】
図５、図６に示すように、天板左部３１と天板右部３２は天板接合用蝶番３３で接合されている。天板左部３１と天板右部３２の天板接合部側には、筐体展開時に天板接合用蝶番３３が突出しないように切欠き３１３と切欠き３２３がそれぞれ形成されている。天板支持用ステー３５は天板支持用左ステー３５１と天板支持用右ステー３５２からなる。天板左部３１の筐体開口側端部の天板接合部側の側部には天板支持用左ステー３５１を取り付けるための切欠き３１５が形成され、天板右部３２の筐体開口側端部の天板接合部側の側部にも天板支持用右ステー３５２を取り付けるための切欠き３２５が形成されている。天板支持用左ステー３５１はその一端が固定具３１７により天板左部３１の切欠き３１５の左側に固定され、他端は略天板分割位置にくるように回動軸３４１により回動自在に軸支されている。また、天板支持用左ステー３５１の適所には爪溝３５３が形成されている。天板支持用右ステー３５２はその一端が固定具３２７により天板右部３２の切欠き３２５の右側に固定され、天板支持用右ステー３５２はその他端側が筐体展開時に天板左部３１の一部に重なるように天板支持用左ステー３５１より長めの形状をなし、回動軸３４１により回動自在に軸支されている。天板支持用右ステー３５２の先端には筐体展開時に爪溝３５３と係合する爪３５４が形成されている。
【００３６】
天板左部３１の背板側端部には、背板左部５１の上部に形成された背板左部保持板５１１と筐体展開時に重なるように左上フラップ固定溝３１１が形成され、天板右部３２の背板側端部には、背板右部５２の上部に形成された背板右部保持板５２１と筐体展開時に重なるように右上フラップ固定溝３２１が形成されている。すなわち、背板左部保持板５１１と左上フラップ固定溝３１１、背板右部保持板５２１と右上フラップ固定溝３２１とはそれぞれ相補的な形状をなしている。また、背板接合用蝶番５３の内側上部には磁性板５３１が取り付けられている。
【００３７】
一方、天板右部３２の下面において天板支持用右ステー３５２から離間した位置において天板支持アングル３６が天板長手方向に沿って、筐体展開時に天板左部３１の一部に重なるように延伸した形状で設けられている。天板支持アングル３６が筐体展開時に略天板接合部に位置するようになる部分には自動ロックピン固定用孔３６１が形成されている。
【００３８】
天板接合用蝶番３３の下面において天板支持用ステー３５と天板支持アングル３６の間には、図６に示すような固定金具３３２により、先端が折曲した自動ロックピン３７１が天板接合用蝶番３３の長手方向に移動可能に取り付けられている。
【００３９】
天板左部３１の下面の天板接合部側の天板長手方向端部には、筐体展開時に先端に自動ロックピン３７１と嵌合し、自動ロックピン３７１を天板接合用蝶番３３の長手方向に移動可能に保持する半円状の凹部３８１が形成された自動ロックピン固定治具３８が取り付けられている。また、同じくその端部において筐体展開時に自動ロックピン固定治具３８と天板支持アングル３６の間で天板支持アングル３６寄りの位置に自動ロックピン３７１が挿通しうる挿通孔３９１が形成された自動ロックピン制御板３９が取り付けられている。
【００４０】
自動ロックピン３７１は固定金具３３２に設けられた筒型固定部３３３と筒型固定部３３４内とその間に設けられた自動ロックピン押し込みバネ３７２の内側を挿通可能に取り付けられている。自動ロックピン３７１には、自動ロックピン押し込みバネ３７２のためのバネ止め３７３が形成されており、筐体１００の折畳時及び展開途中には先端が自動ロックピン制御板３９の上面と当接し、その状態では自動ロックピン押し込みバネ３７２は圧縮された状態となっている。筐体１００の展開時には、自動ロックピン３７１は自動ロックピン押し込みバネ３７２の付勢力によりロックピン制御板３９の挿通孔３９１を挿通し、さらに天板支持アングル３６の自動ロックピン固定用孔３６１を挿通し、嵌合固定されるようになっている。そして、展開時には、天板は図７、図８のような状態となる。天板接合用蝶番３３の背板側端部にはマグネットキャッチ３３１が取り付けられ、筐体１００の展開時には、背板接合用蝶番５３に取り付けられた磁性板５３１を吸着するようになっている。
【００４１】
図５において、Ｍ３は背板左部５１の展開方向（図９、図１３においても同様）、Ｍ４は背板右部５２の展開方向を示す（図９においても同様）。図６において、Ｍ５は天板左部３１の展開方向（図１２、図１３においても同様）、Ｍ６は天板右部３２の展開方向、Ｍ７は展開時に爪３５４と爪溝３５３が嵌合する方向、Ｍ８は展開時に自動ロックピン固定治具３８が自動ロックピン３７１と嵌合する方向、Ｍ９は展開時に自動ロックピン３７１が自動ロックピン固定用孔３６１に嵌合する方向、Ｍ１０は展開時にマグネットキャッチ３３１が磁性板５３１と吸着する方向をそれぞれ示す。
【００４２】
次に、筐体下部の折り畳み構造を図９及び図１０を参照して詳細に説明する。図９は、底板及び背板を展開させたときに底板をフラットな形態で保持させる構造を示す斜視図である。図１０は、展開時に底板接合用蝶番の上面の背板寄りの位置に配したラッチと、背板接合用蝶番の内側下部に配したラッチ固定バーが嵌合する過程を示す斜視図であり、左図は展開途中の形態、右図は展開後の形態を示す。
【００４３】
図９に示すように、底板左部４１と底板右部４２は底板接合用蝶番４３で接合されている。底板支持用ステー４５は底板支持用左ステー４５１と底板支持用右ステー４５２からなる。底天板左部４１の筐体開口側端部の側部には底板支持用左ステー４５１を取り付けるための切欠き４１４が形成され、底板右部４２の筐体開口側端部の側部にも底板支持用右ステー４５２を取り付けるための切欠き４２４が形成されている。底板支持用左ステー４５１はその一端が固定具４１７により底板左部４１の切欠き４１４の略中央に固定され、他端は筐体展開時に略底板分割位置にくるように回動軸４４１により回動自在に軸支されている。また、底板支持用左ステー４５１の適所には爪溝４５３が形成されている。底板支持用右ステー４５２はその一端が固定具４２７により底板右部４２の切欠き４２４の略中央に固定され、底板支持用右ステー４５２はその他端側が筐体展開時に底板左部４１の一部に重なるように底板支持用左ステー４５１より長めの形状をなし、回動軸４４１により回動自在に軸支されている。底板支持用右ステー４５２の先端には筐体展開時に爪溝４５３と係合する爪４５４が形成されている。また、底板支持用右ステー４５２にはフラップ４５５が形成されている。底板左部４１及び底板右部４２の筐体開口側端部の底板接合部側には筐体展開時にフラップ４５５を収容保持する底板左部フラップ保持用溝４１２と底板右部フラップ保持用溝４２２が形成されている。
【００４４】
底板左部４１の背板側端部の下部には、背板左部５１の下部に形成された背板左部保持板５１２と筐体展開時に重なるように底板左部フラップ保持用溝４１３が形成され、底板右部４２の背板側端部の下部には、背板右部５２の下部に形成された背板右部保持板５２２と筐体展開時に重なるように底板右部フラップ保持用溝４２３が形成されている。すなわち、背板左部保持板５１２と底板左部フラップ保持用溝４１３、背板右部保持板５２２と底板右部フラップ保持用溝４２３とはそれぞれ相補的な形状をなしている。
【００４５】
また、一方、底板接合用蝶番４３の背板側上面には図１０に示すようにロック機構４４１を有するラッチ４４が取り付けられ、背板接合用蝶番５３の内側下部には筐体展開時にラッチ４４と嵌合するラッチ固定バー５４が取り付けられている。
【００４６】
図９において、Ｍ１１は底板左部４１の展開方向（図１１においても同様）、Ｍ１２は底板右部４２の展開方向、Ｍ１３は筐体展開時に底板支持用ステー４５が変形する方向、Ｍ１４は筐体展開時にラッチ４４がラッチ固定バー５４と嵌合する方向（図１０においても同様）をそれぞれ示す。図１０において、Ｍ１５はラッチ４４のロック機構４４１の嵌合方向を示す。
【００４７】
次に、底板と側板の嵌合機構について述べる。図１１は、底板と側板の嵌合構造を示す斜視図であり、一例として底板左部４１と側板左部２１の嵌合過程を示している。左図は展開途中の形態、右図は展開後の形態を示す。
【００４８】
側板左部２１の内側下端には固定用切欠き部２１５が形成され、底板左部４１の側板側端部には固定用突起４１５が形成され、筐体展開時には、図１１に示すように、固定用突起４１５と固定用切欠部２１５が隙間なくフィットし、両者の嵌合が行われ、その状態が展開後には維持される。
【００４９】
次に、天板と側板の嵌合機構について述べる。図１２は、天板と側板の嵌合構造を示す斜視図であり、一例として天板左部３１と側板左部２１の嵌合過程を示している。左図は展開途中の形態、右図は展開後の形態を示す。
【００５０】
天板左部３１の側板側端部と側板左部２１の上部との間には左部天板折畳蝶番２１２が外部に突出しないように設けられており、筐体展開時には、図１２に示すように、両者の嵌合が行われ、その状態が展開後には維持される。
【００５１】
次に、背板と側板の嵌合機能について述べる。図１３は、背板と側板の嵌合構造を示す斜視図であり、一例として背板左部５１側板左部２１の嵌合過程を示している。左図は展開途中の形態、右図は展開後の形態を示す。
【００５２】
背板左部５１の側板側端部と側板左部２１の上部との間には左部背板折畳蝶番２１１が外部に突出しないように設けられており、筐体展開時には、図１３に示すように、両者の嵌合が行われ、その状態が展開後には維持される。
【００５３】
次に、上記実施形態の筐体１００の組立て動作について詳細に説明する。
図４に示したように、カセット６１に収納された筐体１００は取り出された直後には、平置きの状態でベルトコンベア７１に載せされ、作業者は開口２２４（図３）に手を差し込み、筐体を上向きに展開する。展開途中には、図２の状態を横倒させたような形態１０２、１０３となる。
【００５４】
その状態から完全な展開状態になると、図１０に示すように、底板接合用蝶番４３に設けられたラッチ４４と背板接合用蝶番５３に設けられたラッチ固定バー５４が係合し、筐体１００を展開状態でロックする。展開状態では筐体１００は、図３のようになる。
【００５５】
また、筐体上部では、図５〜図８を用いて説明したように、自動ロックピン３７１は、天板接合用蝶番３３の近傍で筒形固定部３３３と自動ロックピン押し込みバネ３７２と筒形固定部３３４の内側を挿通した状態でその先端が自動ロックピン制御板３９の上面に当接した状態で、自動ロックピン押し込みバネ３７２は筒形固定部３３３と自動ロックピン３７１に形成された図示しないバネ止めとの間で圧縮された状態になっている。これが完全な展開状態となった時には、自動ロックピン固定治具３８の凹部３８１は、自動ロックピン３７１と嵌合し、自動ロックピン３７１は、自動ロックピン押し込みバネ３７２の付勢力により、自動ロックピン制御板３９の挿通孔３９１を挿通し、さらに天板支持アングル３６の自動ロックピン固定用孔３６１を挿通し、嵌合固定され、図８の様な状態となる。この状態で天板支持アングル３６は図８の状態でロックされ、天板左部３１と天板右部３２はフラットな状態となり、その状態が維持されることとなる。
【００５６】
また、天板支持ステー３５の天板支持用左ステー３５１と天板支持用右ステー３５２は回動軸３４１の周りを回動し、天板支持用右ステー３５２の爪３５４が天板支持用左ステー３５１の爪溝３５３と嵌合し、天板支持用ステー３５は直線状態となる。背板左部５１の背板左部保持板５１１及び背板右部５２の背板右部保持板５２１は、天板左部３１の左上部フラップ固定溝３１１及び天板右部３２の右上部フラップ固定溝３２１にそれぞれ嵌合する。
【００５７】
さらに、天板接合用蝶番３３の背板側に設けられたマグネットキャッチ３３１は背板接合用蝶番５３の上部に設けられた磁性板５３１と吸着する。
【００５８】
一方、筐体下部では、図９に示すように、底板支持ステー４５の底板支持用左ステー４５１と底板支持用右ステー４５２は回動軸４４１の周りを回動し、底板支持用右ステー４５２の爪４５４が底板支持用左ステー４５１の爪溝４５３と嵌合し、フラップ４５５は底板左フラップ保持用溝４１２及び底板右フラップ保持用溝４２２に収納され、底板支持用ステー４５は直線状態となる。また、背板左部５１の背板左部保持板５１２及び背板右部５２の背板右部保持板５２２は、底板左部４１の左下部フラップ固定溝４１３及び底板右部４２の右下部フラップ固定溝４２３にそれぞれ嵌合する。
【００５９】
また、底板と側板、天板と側板、背板と側板は、図１１〜図１３に示したように、筐体展開時には、接合用蝶番が外部に突出しない状態で嵌合し、フィットした状態となる。
【００６０】
以上のように、本発明によれば、組立ての際に、背板と、天板及び底板とを固定金具やネジ等により固定する作業が不要となり、展開状態とした際に筐体が自動的にロックされ、その形態を維持することができる。そのため、多数の遊技機用筐体の組立時間を大幅に短縮することが可能となる。
【００６１】
本発明によれば、筐体１００を折り畳んで収納する場合には、上記と逆の操作を行えばよい。
図７においてθは天板支持用ステー３５を押し込む角度であり、左右の回転部と中心の回転部を２．７度ずらし天板が下に下がる力が発生すると天板支持用ステー３５は上に上がる。
【産業上の利用可能性】
【００６２】
本発明は、スロットマシン、パチンコ機等に代表される遊技機用筐体に適用することが可能である。
【符号の説明】
【００６３】
１００    パチスロ機用筐体
２１    側板左部
２１１    左部側板折畳蝶番
２１２    左部天板折畳蝶番
２１３    左部底板折畳蝶番
２１５    固定用切欠き部
２２    側板右部
２２１    右部側板折畳蝶番
２２２    右部天板折畳蝶番
２２３    右部底板折畳蝶番
２２５    固定用切欠き部
３１    天板左部
３１７    固定具
３２    天板右部
３２７    固定具
３３    天板接合用蝶番
３３１    マグネットキャッチ
３４１    回動軸
３５    天板支持ステー
３６    天板支持アングル
３６１    自動ロックピン固定用孔
３７１    自動ロックピン
３７２    自動ロックピン押し込みバネ
３７３    バネ止め
３８    自動ロックピン固定治具
３８１    凹部
３９    自動ロックピン制御板
３９１    挿通孔
４１    底板左部
４１５    固定用突起部
４２    底板左部
４２１    底板用ステー収納用切欠き
４３    底板接合用蝶番
４４    ラッチ
４５    底板支持用ステー
５１    背板左部
５２    背板院ギブ
５３    背板接合用蝶番
５３１    磁性板
６１    筐体収納カセット
７１    ベルトコンベア
【図１】
0006713286.tif 000002
【図２】
0006713286.tif 000003
【図３】
0006713286.tif 000004
【図４】
0006713286.tif 000005
【図５】
0006713286.tif 000006
【図６】
0006713286.tif 000007
【図７】
0006713286.tif 000008
【図８】
0006713286.tif 000009
【図９】
0006713286.tif 000010
【図１０】
0006713286.tif 000011
【図１１】
0006713286.tif 000012
【図１２】
0006713286.tif 000013
【図１３】
0006713286.tif 000014